(57)【特許請求の範囲】
【請求項１】
複数個のスクリューホールが貫通されて形成されたクランプボディーと;
前記クランプボディーの一方側に配置されて前記クランプボディーの他方側が挿入配置された締め付けハウジングと;
前記締め付けハウジングに回転可能に配置されて前記締め付けハウジングに挿入された前記クランプボディーのスクリューホールに結合された締め付けスクリューとを含み、
前記クランプボディーの一方側に、ホースの直径が縮まる時、縮まる程、弾性でホースを締め付けて堅固な状態で締めてくれることができるように補正手段として一つ以上の補正ビーズを形成して構成され、
前記補正ビーズが塑性変形されることを防止し、クランプボディーと締め付けハウジングの間あるいはスクリューホールにホースが掘り下げて損傷されることを防止するように塑性変形防止手段をさらに具備し、
前記塑性変形防止手段は、前記クランプボディーのスクリューホール、あるいは、締め付けハウジングの間に形成される溝または補正ビーズをカバーすることができる大きさを有し連接される円弧形象の防止バンドと、前記防止バンド上の前記補正ビーズの一方側と他方側に形成される一対の固定ピンとガイドピンを含み、
前記クランプボディーには前記固定ピンとガイドピンに対応される位置に前記固定ピンが挿入される固定ピンホールと、前記ガイドピンが挿入されるガイドホールが形成された
ことを特徴とするホース用クランプ。
【請求項２】
前記締め付けハウジングは、前記クランプボディーに結合される下部ボディーと、前記下部ボディーに結合される上部ボディーとで構成され、前記下部ボディーと上部ボディーは一体に形成されるか、それぞれ形成されて互いに締め付けされる
ことを特徴とする請求項１に記載のホース用クランプ。
【請求項３】
前記上部ボディーの一方側には前記締め付けハウジングを貫いたクランプボディーの一方側を加圧させる加圧片が下部方向に形成された
ことを特徴とする請求項２に記載のホース用クランプ。
【請求項４】
前記上部ボディーの一方側には前記締め付けスクリューの回転の時、前記上部ボディーの変形を防止する剛性リーブが形成された
ことを特徴とする請求項２に記載のホース用クランプ。
【発明の詳細な説明】
【技術分野】
【０００１】
本発明はホース用クランプに関する。詳しくは、例えば、長期間の使用による老化によって、ホースの直径が縮まっても、締め付ける力を持続させることができる補正機能を有するようにしながら、ホースがクランプに浸透して損傷されることを防止するように改善したクランプの提供に関するものである。
【背景技術】
【０００２】
ホース用クランプは自動車のブレーキやエア・コンシステム、パワーステアリングあるいはエンジンルームに流体や気体を、流通させることができるように使われるホース、あるいは、その他、産業現場で流体や気体の流通のために連結されるホースを締め付けて離脱現象などがないようにするために使われるものである。
【０００３】
このようなホース用クランプは従来も様々な種類のものなどが使われてあり、最近は長期間の使用に老化されてホースの直径に変化がある場合、これを補正して固定力（締め付け力）が喪失されないようにする補正機能を有するクランプが開発されて使われている。
【０００４】
このようなクランプはホースをくるむクランプボディーと、クランプボディーに結合された締め付けハウジング及び締め付けスクリューで構成され、固定力が喪失されないようにクランプボディーに補正手段を具備している。したがって、クランプの固定力が喪失される場合、補正手段を利用して固定力を補強することができる。
【０００５】
また、例えば特許文献１には、自動車のルーフパネルを補強するサイドルーフパネルのフランジに掛止され、ホースを保持するホース用クランプにおいて、ホースを保持する挟持部と、フランジに掛止される掛止部と、挟持部と掛止部を連結し、掛止部をフランジに掛止させた際、挟持部をサイドルーフパネルへ押し付ける弾性体と、を有することを特徴とするホース用クランプが記載されている。
【先行技術文献】
【特許文献】
【０００６】
【特許文献１】特開平１１−１５９６６３号公報
【発明の概要】
【発明が解決しようとする課題】
【０００７】
前記のようなホース用クランプの場合、ホースを結合する時、補正手段の弾性領域で変形してホースを締め付けしなければならないが、補正手段の弾性領域について明確な情報を、使用者が知ることができなくて、たびたび弾性領域を越して塑性で変形を加えた後、ホース用クランプを締め付けさせる問題が発生する。
【０００８】
さらに、ホース用クランプを締め付けする時、クランプボディーに形成されたスクリューホールなどが、ホースの外面を加圧するようになってホースの損傷を発生させる問題があった。
【０００９】
本発明は、以上の点に鑑みて創案されたものであり、ホースの締め付けの時、補正手段を弾性領域以上に変形せず、クランプボディーによってホースを損傷させないホース用クランプを提供することを目的とする。
【００１０】
本発明の解決課題は以上で言及されたものなどに限定されないし、言及されない他の解決課題たちは下の記載から当業者に明確に理解されられることができる。
【課題を解決するための手段】
【００１１】
本発明の一実施例によるホース用クランプは、複数個のスクリューホールが貫通されて形成されたクランプボディーと、クランプボディーの一方側に配置されて前記クランプボディーの他方側が挿入配置された締め付けハウジングと、締め付けハウジングに回転可能に配置されて締め付けハウジングに挿入されたクランプボディーのスクリューホールに結合された締め付けスクリューを含むことが望ましい。
【００１２】
本発明の一実施例によるホース用クランプのクランプボディーの一方側に、ホースの直径が縮まる時、縮まる程、弾性でホースを締め付けて堅固な状態で締めてくれることができるように補正手段として少なくとも一つ以上の補正ビーズを形成することが望ましい。
【００１３】
本発明の一実施例によるホース用クランプの補正ビーズが塑性変形されることを防止し、クランプボディーと締め付けハウジングの間あるいはスクリューホールにホースが掘り下げて損傷されることを防止するように塑性変形防止手段をさらに具備するのが望ましい。
【００１４】
本発明の一実施例によるホース用クランプの塑性変形防止手段は、前記クランプボディーのスクリューホール、あるいは、締め付けハウジングの間に形成される溝または補正ビーズをカバーすることができる大きさを有し、連接される円弧形象の防止バンドと、前記防止バンド上の前記補正ビーズの一方側と他方側に形成される一対の固定ピンとガイドピンを含み、前記クランプボディーには前記固定ピンとガイドピンに対応される位置に前記固定ピンが挿入される固定ピンホールと前記ガイドピンが挿入されるガイドホールが形成されることが望ましい。
【００１５】
本発明の一実施例によるホース用クランプの前記ガイドホールの長さは、クランプボディーがホースを締め付けする時、クランプボディーに形成される全体数の補正ビーズが塑性変形されないほどに開かれた時の長さと同じに形成するのが望ましい。
【００１６】
本発明の一実施例によるホース用クランプの締め付けハウジングは、前記クランプボディーに結合される下部ボディーと、前記下部ボディーに結合される上部ボディーとで構成され、前記下部ボディーと上部ボディーは一体に形成されるか、それぞれ形成されて互いに締め付けされることが望ましい。
【００１７】
本発明の一実施例によるホース用クランプの下部ボディーと上部ボディーが互いに締め付けされる場合、前記下部ボディーの一方側には上部方向に締め付けピンが形成されて、前記上部ボディーの一方側には前記締め付けピンが挿入される締め付けホールが形成されて前記下部ボディーと上部ボディーの結合の時、前記締め付けピンが前記締め付けホールに挿入されて折曲されることが望ましい。
【００１８】
本発明の一実施例によるホース用クランプの上部ボディーの一方側には前記締め付けハウジングを貫いたクランプボディーの一方側を加圧させる加圧片が下部方向に形成されることが望ましい。
【００１９】
本発明の一実施例によるホース用クランプの上部ボディーの一方側には前記締め付けスクリューの回転の時、前記上部ボディーの変形を防止する剛性リーブが形成されることが望ましい。
【００２０】
本発明の一実施例によるホース用クランプのクランプボディーの一端は、クランプボディーの他端が締め付けハウジングに挿入される場合、クランプボディーの一端がスクリューホールに挿入されないように両方が中央部より突出形成されることが望ましい。
【発明の効果】
【００２１】
本発明のホース用クランプは、ホースの締め付けの時、補正手段を弾性領域以上に変形せず、クランプボディーによってホースを損傷させない。
【図面の簡単な説明】
【００２２】
【図１】本発明の一実施例によるホース用クランプを表した斜視図である。
【図２】図１のＩＩ−ＩＩ線によるホース用クランプの断面図である。
【図３】図１のＩＩＩ−ＩＩＩ線及びＩＩＩ'―ＩＩＩ'線によるホース用クランプの断面図である。
【図４】図１に表されたホース用クランプのクランプボディーの一部断面図である。
【図５】本発明の一実施例によるホース用クランプのホース締め付け状態のクランプボディーの一部断面図である。
【図６】本発明の他の一実施例によるホース用クランプの斜視図である。
【図７】図６のＶＩＩ−ＶＩＩ線によるホース用クランプの断面図である。
【図８】本発明のまた他の一実施例によるホース用クランプの斜視図である。
【図９】本発明のまた他の一実施例によるホース用クランプの斜視図である。
【図１０】図９に表したホース用クランプの側面図である。
【図１１】本発明のまた他の一実施例によるホース用クランプの締め付けハウジングの順次的な結合斜視図である。
【図１２】本発明のまた他の一実施例によるホース用クランプの締め付けハウジングの順次的な結合斜視図である。
【図１３】本発明のまた他の一実施例によるホース用クランプの締め付けハウジングの順次的な結合斜視図である。
【図１４】本発明のまた他の一実施例によるホース用クランプの締め付けハウジングの順次的な結合斜視図である。
【図１５】本発明のまた他の一実施例によるホース用クランプの締め付けハウジングの順次的な結合斜視図である。
【図１６】本発明のまた他の一実施例によるホース用クランプの締め付けハウジングの順次的な結合斜視図である。
【発明を実施するための形態】
【００２３】
以下では図面を参照しながら本発明によるホース用クランプに関して具体的に説明する。
【００２４】
図１は本発明の一実施例によるホース用クランプを表した斜視図であり、図２は図１のＩＩ−ＩＩ線によるホース用クランプの断面図であり、図３は図１のＩＩＩ−ＩＩＩ線及びＩＩＩ'―ＩＩＩ'線によるホース用クランプの断面図である。
【００２５】
図４は図１に表されたホース用クランプのクランプボディーの一部断面図であり、図５は本発明の一実施例によるホース用クランプのホース締め付け状態のクランプボディーの一部断面図であり、図６は本発明の他の一実施例によるホース用クランプの斜視図であり、図７は図６のＶＩＩ−ＶＩＩ線によるホース用クランプの断面図である。
【００２６】
通常的なホース用クランプ（１００）は、所定の幅を有し弾性を持つステンレススチール材質の板状部材を円型にバンディングしたものであるクランプボディー（１０１）を具備する。
【００２７】
このようなクランプボディー（１０１）の一端には、締め付けハウジング（１０２）を固定して、道具使用の可能なヘッド（１０３）を有する締め付けスクリュー（１０４）と結合する。
【００２８】
締め付けハウジング（１０２）と締め付けスクリュー（１０４）の形象と模様は、図１、図２の例のように形成されることもできる。さらに、図６、図７に図示された例のように締め付け力を高めることができる形象及び締め付けハウジング（１０２）が締め付けスクリュー（１０４）の首部分を取ってくれることができる形象などで構成することができる。
【００２９】
締め付けスクリュー（１０４）は、クランプボディー（１０１）の他端から内側方向に所定の長さにわたって形成するスクリューホール（１０５）と結合されて締め付けスクリュー（１０４）の正、逆回転によってスクリューホール（１０５）を引っ張ったり押したりして、クランプボディー（１０１）の直径を、拡大または縮小しながらホースをクランピング（ＣＬＡＭＰＩＮＧ）及びアンクランピング（ＵＮＣＬＡＭＰＩＮＧ）できるようにする。
【００３０】
クランプボディー（１０１）のいずれか一方側には、長期間使用でホースの直径が縮まる時、縮まる程、弾性でホースを締め付けて堅固な状態で締めてくれることができる補正手段（１０６）が形成される。
【００３１】
補正手段（１０６）は、クランプボディー（１０１）の円周方向で形成する半円形の補正ビーズ（１０７）を一つまたは一つ以上形成して構成されて、ホースを締め付ける時は開かれて、ホースの老化がある時、復元されようとする力によってホースの直径が減っただけ締まって補正する。
【００３２】
本発明では前記補正ビーズ（１０７）が塑性変形されて弾性を失って元状態に復元されることができないことを防止し、クランプボディー（１０１）と締め付けハウジング（１０２）の間とスクリューホール（１０５）にホース（１０８）が、掘り下げて損傷されることを防止するように塑性変形防止手段（１１０）を具備することを特徴とする。
【００３３】
塑性変形防止手段（１１０）は、クランプボディー（１０１）の内面に板状素材ながら、円弧形象を有する防止バンド（１１１）を連接させて形成される。
【００３４】
このような防止バンド（１１１）の大きさは、クランプボディー（１０１）に形成されるスクリューホール（１０５）、クランプボディー（１０１）と締め付けハウジング（１０２）の間に形成される溝あるいは補正ビーズ（１０７）をカバーすることができる大きさで形成するのが望ましい。
【００３５】
防止バンド（１１１）のへりには、クランプボディー（１０１）を収容してクランプボディー（１０１）と防止バンド（１１１）が互いに安定された状態を維持するように外面（クランプボディー方向）または内面（クランプボディーの対向された方向）で折曲させたガイドリム（図示しなし）が形成される。
【００３６】
防止バンド（１１１）には、図１に表したように補正ビーズ（１０７）の始め位置（ＳＰ）と終わりの位置（ＥＰ）に外面方向で折曲および突出形成された一対の固定ピン（１１３）とガイドピン（１１４）が形成される。
【００３７】
クランプボディー（１０１）には固定ピンホール（１１５）が形成される。このような固定ピンホール（１１５）は、締め付けボディーの一方側または他方側に形成されることができるし、固定ピン（１１３）は固定ピンホール（１１５）を貫いて挿入された後、互いに見合わせるようにし、または対向されるように折曲してクランプボディー（１０１）と固定バンド（１１１）を結合させて動かないように締まる。
【００３８】
クランプボディー（１０１）には所定の長さ（Ｌ）のガイドホール（１１６）が形成される。ガイドピン（１１４）はガイドホール（１１６）を貫いて挿入された後、互いに見合わせるようにし、または対向されるように折曲される。この時、折曲されたガイドピン（１１４）がガイドホール（１１６）の内部で移動するようにする。
【００３９】
ガイドホール（１１６）の長さ（Ｌ）は、ホース（１０８）にクランプボディー（１０１）が締め付けされる時、クランプボディー（１０１）に形成されるすべての数の補正ビーズ（１０７）が塑性変形されないほどに開かれた時の長さと同じになるよう形成する。
【００４０】
したがって、ホース（１０８）の締め付け時、補正ビーズ（１０７）の開かれるのに差し支えがないようにしながら、これ以上の変形を防止して塑性変形されることを防止するようにする。
【００４１】
前記の本発明の技術が適用されたホース用クランプ（１００）の使用状態を次に説明する。
【００４２】
ホース用クランプ（１００）を構成する締め付けハウジング（１０２）に結合された締め付けスクリュー（１０４）を、スクリュードライバーなどのような締め付け道具を利用して解除方向に回転させて、クランプボディー（１０１）の直径を拡大させてホース（１０８）を収容させた後、締め付けスクリュー（１０４）を締め付け方向に回転させてホース（１０８）を締め付ける。
【００４３】
この過程で締め付けスクリュー（１０４）は、クランプボディー（１０１）に形成されるスクリューホール（１０５）と結合されて、クランプボディー（１０１）の直径を縮小及び拡大することができる。
【００４４】
そして、ホース（１０８）を締め付ける時、クランプボディー（１０１）に半円形象に形成された補正ビーズ（１０７）が、ホース（１０８）の軸中心に対して直角方向（ホースの円周方向）に締め付け力によって開かれながら弾性によって締め付け力を発揮するようになる。
【００４５】
このようにホース（１０８）を堅固に締め付けした状態で長期間の経過でホース（１０８）が老化されてホース（１０８）の直径が減る場合、クランプボディー（１０１）に形成した補正ビーズ（１０７）には元状態に復元されようとする力が発生する。この力によってクランプボディー（１０１）の直径は、減るようになって、ホース（１０８）の減る直径に当たるように補正される。
【００４６】
このようにホース（１０８）を締め付けする場合は、補正ビーズ（１０７）が半円形象から大略平たい形態で開かれるようになる。この過程で塑性変形防止手段（１１０）によって、補正ビーズ（１０７）が完全に開かれるのが防止されて補正ビーズ（１０７）の塑性変形が発生することを防止するようになる。
【００４７】
固定ピン（１１３）が固定ピンホール（１１５）に挿入されて結合され、ガイドピン（１１４）がガイドホール（１１６）に挿入されて移動可能に結合された状態で、締め付け力によって補正ビーズ（１０７）が開かれることになれば、ガイドホール（１１６）は、ガイドピン（１１４）が挿入された状態で、ガイドピン（１１４）を基準に図１の矢印（←）方向に移動することになる。
【００４８】
応じて、ガイドピン（１１４）はガイドホール（１１６）内で、Ｃ地点からＢ地点へ移動するようになって、補正ビーズ（１０７）は、これ以上開かれることができなくなって、結局は補正ビーズ（１０７）の変形及びクランプボディー（１０１）の動きが止められる。
【００４９】
この時、ガイドホール（１１６）の長さ（Ｌ）は、クランプボディー（１０１）に形成された全体補正ビーズ（１０７）が塑性変形されない長さと等しい長さに形成されて補正ビーズ（１０７）が塑性変形されることを防止することができる。
【００５０】
勿論、ホース（１０８）の老化などによって直径が減る場合は、補正ビーズ（１０７）の復元力によってクランプボディー（１０１）の直径が減ってホース（１０８）を締め付ける。この過程では、ガイドホール（１１６）内のガイドピン（１１４）は、Ｂ地点からＡ地点へ移動するから、ホース（１０８）の直径縮小から差し支えを受けなくなる。
【００５１】
さらに、本発明の防止バンド（１１１）は、前記で説明したところのようにクランプボディー（１０１）に形成される補正ビーズ（１０７）、スクリューホール（１０５）は勿論、クランプボディー（１０１）と締め付けハウジング（１０２）の結合（固定）位置までカバーすることができる大きさで形成されて高温高圧に露出されたホース（１０８）と言ってもクランプボディー（１０１）の溝や隙間に掘り下げる現象を防止するようにする。
【００５２】
前記のような本発明は、ホース用クランプがホースを締め付けする過程で補正ビーズが塑性変形されることを防止して補正機能を円滑に遂行することができるし、ホースがクランプボディーの溝や隙間を掘り下げて損傷されることを防止することができる長所を有する。
【００５３】
さらに、図８は本発明のまた他の一実施例によるホース用クランプの斜視図を参照すれば、締め付けハウジング（１０２）はクランプボディー（１０１）に結合される下部ボディー（１０２ａ）と、下部ボディー（１０２ａ）に結合される上部ボディー（１０２ｂ）とで構成される。
【００５４】
この時、下部ボディー（１０２ａ）と上部ボディー（１０２ｂ）は図８に図示されたように、一体に形成されることもでき、図１及び図６に図示されたように下部ボディー（１０２ａ）と上部ボディー（１０２ｂ）が、それぞれ形成された後、互いに締め付けされて締め付けハウジング（１０２）を形成することもできる。
【００５５】
すなわち、本発明の他の一実施例によるホース用クランプの斜視図の図９と側面図の図１０に図示されたように、下部ボディー（１０２ａ）の一方側には上部方向に締め付けピン（１０２ｃ）が形成され、上部ボディー（１０２ｂ）の一方側には締め付けピン（１０２ｃ）が挿入される締め付けホール（１０２ｄ）が形成されることができる。
【００５６】
したがって、下部ボディー（１０２ａ）と上部ボディー（１０２ｂ）が互いに締め付けされる場合、締め付けピン（１０２ｃ）を締め付けホール（１０２ｄ）に挿入させた後、折曲させて下部ボディー（１０２ａ）と上部ボディー（１０２ｂ）を結合させることができる。
【００５７】
さらに、本発明の一実施例によるホース用クランプの図１、図６、図８及び図９に図示されたように、上部ボディー（１０２ｂ）の一方側には、下部方向に形成された加圧片（１０２ｅ）が形成されて、締め付けハウジング（１０２）を貫いたクランプボディー（１０１）の一方側を加圧させることができる。
【００５８】
このような加圧片（１０２ｅ）は、図９に図示されたように締め付けハウジング（１０２）を貫いたクランプボディー（１０１）の一方側を下部方向に加圧して、締め付けスクリュー（１０４）がクランプボディー（１０１）のスクリューホール（１０５）に容易に締め付けされることができるようにする。
【００５９】
さらに、上部ボディー（１０２ｂ）の一方側には図９及び図１０に図示されたように、上部ボディー（１０２ｂ）の剛性を増加させることができるように剛性リーブ（１０２ｆ）が形成されることができる。
【００６０】
締め付けハウジング（１０２）は前で説明したように、下部ボディー（１０２ａ）と上部ボディー（１０２ｂ）とで構成され、下部ボディー（１０２ａ）と上部ボディー（１０２ｂ）の間に締め付けスクリュー（１０４）が回転可能に結合される。
【００６１】
締め付けスクリュー（１０４）は前で説明したように、回転してスクリューホール（１０５）と締め付けされることとして、締め付けスクリュー（１０４）はスクリューホール（１０５）に締め付ける時、外力を受けるようになる。
【００６２】
したがって、締め付けスクリュー（１０４）に加えられる外力は、締め付けハウジング（１０２）に伝達されて変形を発生させることになる。このような変形は、主にクランプボディーと結合されなかった上部ボディー（１０２ｂ）に集中される。
【００６３】
したがって、上部ボディー（１０２ｂ）には図９及び図１０に図示されたように剛性リーブ（１０２ｆ）を形成して上部ボディー（１０２ｂ）の変形が発生しないようにすることが望ましい。
【００６４】
さらに、図９に図示されたところのようにクランプボディー（１０１）の一端は、クランプボディー（１０１）の他端が締め付けハウジング（１０２）に挿入される場合、クランプボディー（１０１）の一端が前記スクリューホール（１０５）に挿入されないように、両側（１０１ａ）が中央部（１０１ｂ）よりも突出形成されてホースの締め付けの時、クランプボディー（１０１）の端部が相互干渉を発生させないようにすることが望ましい。
【００６５】
本発明のまた他の一実施例によるホース用クランプの締め付けハウジングの斜視図及び結合時の作動図の図１１（ａ）、図１１（ｂ）、図１１（ｃ）及び図１６（ａ）、図１６（ｂ）、図１６（ｃ）を参照すれば、締め付けハウジング（１０２）は図１１、図１３、図１５のように下部ボディー（１０２ａ）と上部ボディー（１０２ｂ）が分離されて互いに結合されるように形成されることができるし、図１２、図１４、図１６のように下部ボディー（１０２ａ）の一方側が上部ボディー（１０２ｂ）と連結されて互いに結合されることができるように形成されることができる。
【００６６】
この時、下部ボディー（１０２ａ）には様々な形象の締め付けピン（１０２ｃ）が形成されて上部ボディー（１０２ｂ）の締め付けホール（１０２ｄ）に挿入されて折曲されることができる。
【００６７】
以上のように、本発明のホース用クランプは、ホースの締め付けの時、補正手段を弾性領域以上に変形せず、クランプボディーによってホースを損傷させないという効果を奏する。
すなわち、本発明のホース用クランプには、次のようなメリットがある。
【００６８】
第一、ホースの締め付けの時、補正手段を変形させる場合、補正手段を弾性領域以上に変形させない。
第二、ホースの締め付けの時、クランプボディーによってホースを損傷させない。
第三、ホースの締め付けの時、互いに干渉される部分を最小化して容易にホースを締め付けることができる。
第四、ホース用クランプの構成を単純化して製作の時、費用が節減される。
【００６９】
また、本発明によるホース用クランプには、補正手段が弾性領域を越して変形されないように変形範囲を制限して補正手段が弾性領域の以上に変形されないようにする効果があり、クランプボディーに形成されたスクリューホールが、ホースの外面に直接触れ合わないようにして、ホースの損傷を最小化することができるようにする効果がある。
【００７０】
さらに、本発明によるホース用クランプには、クランプボディーが挿入される締め付けハウジングに加圧突起を形成してクランプボディーのスクリューホールと締め付けハウジングの締め付けスクリューが容易に互いに締め付けされることができるようにする効果がある。
【００７１】
また、本発明によるホース用クランプには、ホースの締め付けの時、クランプボディーの一端がクランプボディーのスクリューホールにかからないようにして、容易にホースを締め付けすることができる便利な効果がある。
【００７２】
本発明の効果は、以上で言及されたものなどに限定されないし、言及されない他の効果たちは、下の記載から当業者に明確に理解されられることができる。
【００７３】
本明細書で説明される実施例と添付された図面は、本発明に含まれる技術的思想の一部を例示的に説明することに過ぎない。応じて、本明細書に開示された実施例たちは本発明の技術的思想を限定するためのことではなく、説明するためのことなので、このような実施例によって本発明の技術思想の範囲が限定されるのではないことは自明である。本発明の明細書及び図面に含まれた技術的思想の範囲内で当業者が容易に類推することができる変形例と具体的な実施例は皆本発明の権利範囲に含まれると解釈されなければならない。
【符号の説明】
【００７４】
１００；ホース用クランプ 
１０１；クランプボディー
１０４；締め付けスクリュー 
１０５；スクリューホール
１０７；補正ビーズ
１１０；塑性変形防止手段
１１１；防止バンド
１１３；固定ピン
１１４；ガイドピン 
１１５；固定ピンホール
１１６；ガイドホール
【図１】
0005558524.tif 000002
【図２】
0005558524.tif 000003
【図３】
0005558524.tif 000004
【図４】
0005558524.tif 000005
【図５】
0005558524.tif 000006
【図６】
0005558524.tif 000007
【図７】
0005558524.tif 000008
【図８】
0005558524.tif 000009
【図９】
0005558524.tif 000010
【図１０】
0005558524.tif 000011
【図１１】
0005558524.tif 000012
【図１２】
0005558524.tif 000013
【図１３】
0005558524.tif 000014
【図１４】
0005558524.tif 000015
【図１５】
0005558524.tif 000016
【図１６】
0005558524.tif 000017